(57)【要約】【課題】仕切板を上方に引っ張っても容易に引き抜かれることはない商品陳列板を提供する。【解決手段】幅方向に延びる表面部１０と、該表面部１０より上面の位置が低く、幅方向に延びる底面部１２と、が前後方向に交互に連なったスノコ状の商品陳列板において、表面部１０の前後面の少なくとも一方の面１０Ａには、この商品陳列板の表面に立設される仕切板２０を支持可能な仕切板支持部材２２Ａ、２２Ｂが嵌入可能な溝２４が形成されていることを特徴とする。【選択図】図１
2007222451.tif 000002
【特許請求の範囲】
【請求項１】
幅方向に延びる表面部と、該表面部より上面の位置が低く、幅方向に延びる底面部と、が前後方向に交互に連なったスノコ状の商品陳列板において、
表面部の前後面の少なくとも一方の面には、この商品陳列板の表面側に立設される被取付部材を支持可能な支持部材の一部が嵌入可能な溝が形成されていることを特徴とする商品陳列板。
【請求項２】
幅方向に延びる表面部と、該表面部より上面の位置が低く、前記表面部の前後方向のいずれか一方側に隣接されて設けられ、幅方向に延びる底面部と、前記表面部の前後方向の底面部の反対側及び前記底面部の前後方向の表面部の反対側のいずれか一方側に形成された雌型連結部と、その他方側に形成された雄型連結部と、を備えた商品陳列板ユニットが前後方向に連なることによってスノコ状を形成する商品陳列板であって、
前記商品陳列板ユニットは、前記雄型連結部が雌型連結部に連結することによって、前後方向に連結するように構成されており、
表面部の前後面の少なくとも一方の面には、この商品陳列板の表面側に立設される被取付部材を支持可能な支持部材の一部が嵌入可能な溝が形成されていることを特徴とする商品陳列板。
【請求項３】
前記雄型連結部と雌型連結部は、着脱可能に連結されていることを特徴とする請求項２記載の商品陳列板。
【請求項４】
各商品陳列板ユニットは、幅方向に延びる雄型連結部と雌型連結部の連結軸を中心に揺動可能に連結されていることを特徴とする請求項２又は３記載の商品陳列板。
【請求項５】
前記溝は、幅方向全域に亘って連続的に形成されていることを特徴とする請求項１乃至４いずれか記載の商品陳列板。
【発明の詳細な説明】
【技術分野】
【０００１】
本発明は、商品陳列用のワゴンなどに敷設され、その上に惣菜や青果物などの商品が陳列されるスノコ状の商品陳列板に関する。
【背景技術】
【０００２】
従来から、スーパーなどにおける商品陳列用のワゴンなどには、その上に惣菜や青果物などの商品が陳列されるスノコ状の商品陳列板が敷設されている。このスノコ状の商品陳列板は、幅方向に延びる表面部と、該表面部より上面の位置が低く、幅方向に延びる底面部と、が前後方向に交互に連なっているので、空気の通りが良く、青果物の鮮度を保つことができる。
【０００３】
一方、このようなスノコ状の商品陳列板と同様の機能を有するものとして、商品陳列板の表面の自由な位置に仕切板を立設させることが可能な商品陳列板がある（特許文献１）。この特許文献１に記載された商品陳列板の表面には、前後及び幅方向に所定の間隔でマトリックス状に配列されたスリット状の係合穴が形成されており、この係合穴に仕切板が係脱可能に差し込まれるように構成されている。
【０００４】
【特許文献１】特開２００１―１９７９７７号公報
【発明の開示】
【発明が解決しようとする課題】
【０００５】
しかしながら、特許文献１に記載された商品陳列板は、仕切板を商品陳列板の上方から差し込むことによって装着するように構成されているので、仕切板を上方に引っ張るだけで容易に引き抜かれてしまうという問題がある。
【０００６】
そこで、本発明は、仕切板や商品ＰＯＰ表示部などの被取付部材を上方に引っ張っても容易に引き抜かれることはない商品陳列板を提供することを目的とする。
【課題を解決するための手段】
【０００７】
以上の目的を達成するため、本発明は、幅方向に延びる表面部と、該表面部より上面の位置が低く、幅方向に延びる底面部と、が前後方向に交互に連なったスノコ状の商品陳列板において、表面部の前後面の少なくとも一方の面には、この商品陳列板の表面側に立設される仕切板や商品ＰＯＰ表示部など被取付部材を支持可能な支持部材の一部が嵌入可能な溝が形成されていることを特徴とする。
【０００８】
また、本発明は、幅方向に延びる表面部と、該表面部より上面の位置が低く、前記表面部の前後方向いずれか一方側に隣接されて設けられ、幅方向に延びる底面部と、前記表面部の前後方向の底面部の反対側及び前記底面部の前後方向の表面部の反対側のいずれか一方側に形成された雌型連結部と、その他方側に形成された雄型連結部と、を備えた商品陳列板ユニットが前後方向に連なることによってスノコ状を形成する商品陳列板であって、前記商品陳列板ユニットは、前記雄型連結部が雌型連結部に連結することによって、前後方向に連結するように構成されており、表面部の前後面の少なくとも一方の面には、この商品陳列板の表面側に立設される仕切板や商品ＰＯＰ表示部など被取付部材を支持可能な支持部材の一部が嵌入可能な溝が形成されていることを特徴とし、前記雄型連結部と雌型連結部は、着脱可能に連結されていることが好ましく、また各商品陳列板ユニットは、幅方向に延びる雄型連結部と雌型連結部の連結軸を中心に揺動可能に連結されていることが好ましい。
【発明の効果】
【０００９】
以上のように、本発明に係る商品陳列板は、表面部の前後面の少なくとも一方の面に被取付部材の支持部材が挿入可能な溝が形成されているので、仕切板や商品ＰＯＰ表示部などの被取付部材を上方に引っ張っても容易に引き抜かれることはなく、被取付部材を上方に引っ張っても容易に引き抜かれることはない商品陳列板を提供することができる。
【発明を実施するための最良の形態】
【００１０】
次に、本発明に係る商品陳列板の実施例について図面に基づいて説明する。図１は、本実施例に係る商品陳列板の平面図であり、図２は、その側面図である。本実施例に係る商品陳列板は、図１及び２に示すように、幅方向に延びる表面部１０、及び表面部１０より上面の位置が低く、幅方向に延びる底面部１２からなる商品陳列板ユニット１４が複数前後方向に連なって、スノコ状を形成している。
【００１１】
各商品陳列板ユニット１４は、前方側（図２及び３の左側）の表面部１０と、表面部１０の後方側（図２及び３の右側）に隣接されて設けられた底面部１２と、表面部１０の前方側に形成された雌型連結部１６と、底面部１２の後方側に形成された雄型連結部１８と、を備えている。
【００１２】
雌型連結部１６は、図３に示すように商品陳列板ユニット１４の前方底面側の辺に幅方向に亘った円弧筒状に切り欠けられ、雄型連結部１８を受ける受面１６Ａと、受面１６Ａの最先端にその基端が設けられるとともに、受面１６Ａの円弧と同心の円柱部材がその先端に設けられるように後下斜め方向に延びる係合部材１６Ｂと、を備えており、受面１６Ａ及び係合部材１６Ｂは、いずれも幅方向全域に亘って設けられている。受面１６Ａの底面側端部は、前方に向かって鋭角を有しており、受面１６Ａの円弧の角度は、約１８０度である。係合部材１６Ｂは、その付勢力によって円柱部材と受面１６Ａの底面側端部の間に雄型連結部１８を挟持して、雄型連結部１８を雌型連結部１６に係合させるよう構成されている。雄型連結部１８は、底面部１２の後方側から突出し、上方に向かって受け形状になっている半円筒状部１８Ａを有し、この半円筒状部１８Ａは、その外面が雌型連結部１６の受面１６Ａの内面に密接するように幅方向に亘って形成されている。したがって、図３に示すように一の商品陳列板ユニット１４Ａの雄型連結部１６に向かって他の商品陳列板ユニット１４Ｂの雌型連結部１８を上方から押圧することによって、雌型連結部１６の受面１６Ａと係合部材１６Ｂの間に雄型連結部１８の半円筒状部１８Ａを挟持して商品陳列板ユニット１４同士を連結することができ、所望の数の商品陳列板ユニット１４を連結して所望の長さの商品陳列板を用意することができる。また、各商品陳列板ユニット１４は、係合部材１６Ｂを中心に揺動可能に連結されているので、平らな場所でなく、段差などがあるところであっても、本実施例に係る商品陳列板を敷設することができる。
【００１３】
表面部１０の後面１０Ａには、この商品陳列板の表面に立設される仕切板２０を支持可能な仕切板支持部材２２が嵌入可能な溝２４が幅方向全域に亘って連続的に形成されている。溝２４を形成する下面２４Ａは、底面部１２の表面と連続しており、溝２４を形成する上面２４Ｂの後方側端部には、下方に突出する突出部２４Ｃが幅方向全域に亘って形成されている。
【００１４】
表面部１０の底面には、幅方向に延びる溝２６が形成されており、この溝２６の前後方向の内面の底部には、前後方向内側に突出するフランジ２６Ａ、２６Ｂが幅方向全域に亘って形成されている。
【００１５】
次に、本実施例に係る商品陳列板の表面に立設される仕切板２０及びその支持部材２２の構造について説明する。仕切板２０は、図４に示すように帯状に形成されており、上方の左右両端部が面取りされている。支持部材２２は、図５に示すように前後方向に仕切板２０を支持する第１支持部材２２Ａと幅方向に仕切板２０を支持する第２支持部材２２Ｂの二種類ある。第１支持部材２２Ａと第２支持部材２２Ｂは、いずれも二つ一組となって仕切板２０を支持するように構成されている。
【００１６】
第１支持部材２２Ａは、図６に示すように、ベース部２８と、ベース部２８の上方に設けられ、仕切板２０を挟持する挟持部３０と、から構成されている。ベース部２８の底面後方端には、表面部１０の溝２４に嵌入可能な嵌入片３２が設けられている。この嵌入片３２は、ベース部２８の底面後方端から垂直方向下方に立脚される立脚部３２Ａと、立脚部３２Ａの下端から前方向に垂直に湾曲し、前方向に延在する挿入部３２Ｂと、を備えている。立脚部３２Ａは、ベース部２８の底面が表面部１０の表面に当接した際に、挿入部３２Ｂの底面が底面部１２の表面に当接する長さを有し、挿入部３２Ｂの前後方向の長さは、底面部１２の前後方向の長さよりも短く形成されている。また、挿入部３２Ｂ上面側には、上方に突出する突出部３２Ｃが形成されており、この突出部３２Ｃは、挿入部３２が溝２４に挿入された際に、溝２４の突出部２４Ｃに係合して、ベース部２８の移動を抑制するよう構成されている。第１支持部材２２Ａの挟持部３０は、前後方向に沿って立設する二枚の挟持板３０Ａ、３０Ｂから構成されており、これら挟持板３０Ａ、３０Ｂは、仕切板２０を挟持可能な間隔を有する。
【００１７】
第２支持部材２２Ｂは、図７に示すように、ベース部３４と、ベース部３４の上方に設けられ、仕切板２０を挟持する挟持部３６と、を備えている。ベース部３４は、第１支持部材２２Ａのベース部２８と同一の形状からなり、挟持部３６は、幅方向に沿って立設する二枚の挟持板３６Ａ、３６Ｂから構成されており、これら挟持板３６Ａ、３６Ｂは、仕切板２０を挟持可能な間隔を有する。
【００１８】
本実施例に係る商品陳列板に仕切板２０を設置する場合は、図８に示すように、仕切板２０を前後方向に設置するか、又は幅方向に設置するかを決定し、前後方向に設置する場合は、一対の第１支持部材２２Ａ、２２Ａを用い、幅方向に設置する場合は、一対の第２支持部材２２Ｂ、２２Ｂを用いる。第１支持部材２２Ａ又は第２支持部材２２Ｂは、先ず、それぞれの挟持板３０Ａ、３０Ｂ、３６Ａ、３６Ｂに仕切板２０を挟持させる。次いで、一対の第１支持部材２２Ａ、２２Ａ、又は一対の第２支持部材２２Ｂ、２２Ｂは、それぞれの挿入部３２Ｂを上方から前後方向に並列された表面部１０、１０の間に入れて、前方向にスライドさせて、挿入部３２Ｂの突出部３２Ｃが溝２４の突出部２４Ｃを超えるまで、挿入部３２Ｂを表面部１０の溝２４に挿入することによって、溝２４に装着することができる。なお、仕切板２０は、一対の第１支持部材２２Ａ、２２Ａを本実施例に係る商品陳列板に装着した際の前側の挟持板３０Ａ、３０Ｂの前端と後側の挟持板３０Ａ、３０Ｂの後端の間の長さと同じ長さを有する。また、本実施例に係る商品陳列板において、溝２４は、幅方向全域に亘って連続的に形成されているので、幅方向にスライドさせて、その位置を調整することができる。
【００１９】
本実施例に係る商品陳列板は、例えば、図９に示すようにフレーム４０Ａから構成された台座４０に設置されて使用される。このフレーム４０Ａへの取り付けは、表面部１０の底面に形成された溝２６に挿入される接続部材３８をフレーム４０Ａに係合することによって行うことができる。また、本実施例に係る商品陳列板は、例えば、図１０に示すように係合部材１６Ｂを中心に揺動させた状態で台座４０に設置させても良い。
【００２０】
本実施例に係る商品陳列板は、仕切板２０を設置する例を示したが、その他に商品名や価格などを表示する商品のＰＯＰ表示部を設置しても良い。
【図面の簡単な説明】
【００２１】
【図１】本発明に係る商品陳列板の実施例の平面図である。
【図２】本実施例に係る商品陳列板の側面図である。
【図３】本実施例に係る商品陳列板の商品陳列板ユニットの側面図である。
【図４】本実施例に係る商品陳列板に設置される仕切板の正面図である。
【図５】本実施例に係る商品陳列板に仕切板が設置された状態を示す斜視図である。
【図６】本実施例に係る商品陳列板に設置される仕切板の第１支持部材の斜視図である。
【図７】本実施例に係る商品陳列板に設置される仕切板の第２支持部材の斜視図である。
【図８】本実施例に係る商品陳列板に仕切板を設置する工程を示す側面図である。
【図９】本実施例に係る商品陳列板を台座に設置する状態を示す図である。
【図１０】本実施例に係る商品陳列板を台座に設置する状態を示す図である。
【符号の説明】
【００２２】
１０   表面部
１２   底面部
２０   仕切板
２２Ａ 第１支持部材
２２Ｂ 第２支持部材
２４   溝
【図１】
2007222451.tif 000003
【図２】
2007222451.tif 000004
【図３】
2007222451.tif 000005
【図４】
2007222451.tif 000006
【図５】
2007222451.tif 000007
【図６】
2007222451.tif 000008
【図７】
2007222451.tif 000009
【図８】
2007222451.tif 000010
【図９】
2007222451.tif 000011
【図１０】
2007222451.tif 000012